(57)【要約】【課題】従来、災害時及び非常時の洋式トイレにおいて、洋式便器または洋式便座に排泄袋を固定し、排泄後に排泄袋を外し密閉するまでをトイレ内にて行なう必要があることから。排泄袋を格納ケースに収納して便器及び便座への接触を最小限にした排泄ができる構造の循環利用型排泄キットの必要性。【解決手段】ガードプレート１が臀部４と便座５の間の接触を遮断している、１ｂの形状は上部に凸部を設ける事で、排泄穴の位置を明確に知らせる効果を持つ。１ｃはキットの持ち運びを行なう為の穴を示す、２ａは利用前に、排泄袋６、密閉紐７、を設置した固定部を表す。排泄後に遮蔽蓋をし非常時用排泄キットを持って出る循環利用型キットで誰でも簡単に使い、衛生管理のできた場所にて排泄袋の処理を行なえる移動可能な循環利用型の非常時用排泄キットの提供ができる。【選択図】図４
2018202117.tif 000002
【特許請求の範囲】
【請求項１】
災害時及び非常時における排泄物の処理に対応する為のガードプレートと排泄袋格納バケットと遮蔽蓋と排泄袋用セットブラシから構成される非常用洋式便器排泄キットである。
【請求項２】
既設の洋式便器及び非常用組立型洋式便器に対し、便座開口部に請求項１の排泄袋格納バケットを挿入し、請求項１のガードプレート下面が便座上面に固定され即座に排泄を行なう事ができる、排泄後に請求項１の遮蔽蓋をし、キット毎取り出しトイレ内を汚す事無く退出し、排泄物は衛生管理の出来ている場所にて排泄袋の処理を行なう非常用洋式便器排泄キットである。
【請求項３】
請求項１の排泄袋格納バケットは、既設の洋式便器の内部深さの違いに対応し、高さ調整が可能なジャバラ方式にて作成する事で多様な既存の洋式便器や組立式洋式便器に対応が可能である非常用洋式便器排泄キットである。
【請求項４】
請求項１の排泄袋用セットブラシは、排泄袋を排泄袋格納バケットにセットする為の機構を備え、利用前に排泄袋が解放状態で無い場合においても排泄袋用セットブラシを用いて修正ができる機能を有する非常用洋式便器排泄キットである。
【発明の詳細な説明】
【技術分野】
【０００１】  本発明は、災害時及び非常時に既存の洋式便器及び非常用組立型洋式便器に対応した、排泄物処理に関する。
【背景技術】
【０００２】  従来の、洋式便器での非常時の排泄物処理を図１２（ａ）（ｂ）に示す、便座又は便座下に排泄物を受ける排泄袋を固定し、排泄が終わった後に、その場にて排泄袋を外して密閉を行なう方法を採用している、確実に排泄物の取扱いをその場にて行なう事は子供や高齢者等弱者においては排泄袋の扱いは難しいと考える。
【発明の概要】
【発明が解決しようとする課題】
【０００３】  従来の非常時での排泄処理の方法が、排泄物を収納する袋を便器に対して設置する方法である事から、便器との接触を伴う事に衛生的な問題があった。【０００４】  従来の非常時での排泄処理の方法が、排泄場所にて排泄物の密閉までを行ない、災害時に待ち時間を要し、子供や高齢者等弱者が取扱う事に困難があった。【０００５】  従来の非常時での排泄処理の方法が、洋式便器及び簡易洋式便器の便座が同一形状である事からの共通性を利用できていなかった。
【課題を解決するための手段】
【０００６】  本発明の構成がガードプレートを使用する事で、臀部と便座が接触する事を防ぐガードとしての役目を果たし、排泄袋格納バッケット内に排泄袋を設置している事で、便器との接触を防ぎ遮蔽蓋から構成される非常用洋式便器排泄キットで有る事で衛生的で簡単に排泄が可能である。【０００７】  本発明の構成が、組立型キットで有り、便座の開口部に組立型キットをセットして排泄が可能であり排泄後は遮蔽蓋で密閉する事で排泄が完了し、非常用洋式便器排泄キットを持って出る事で、誰でも簡単に排泄が可能ある事を提供する。【０００８】  従来の非常時での排泄処理の方法に対して、洋式便器のＪＩＳ規格のＪＩＳＡ５２０７衛生器具−便器・洗面器類の寸法規定を基にガードプレートと排泄袋格納バッケットの寸法を決定する事で、共通性の有る非常用洋式便器排泄キットを提供できる。洋式便器及び簡易洋式便器の深さが異なる事から排泄袋格納バッケットをジャバラ方式とし高さ調整が可能な構造とし、共通性への問題を解消した。
【発明の効果】
【０００９】  ガードプレートの開口穴の周長接触部に凸部を設ける事で、臀部の肛門及び尿道位置が確実に排泄袋格納バッケット内に位置する事を明示し、排泄の飛散を防ぐ役目を持つ事で衛生的に排泄ができ、次の使用者に対しても衛生環境の保持効果をもたらす。【００１０】  組立型であり、持ち運びが可能な事から接触感染ウィルス等の病気にて嘔吐を伴う場合に、その場で対応が可能であり遮蔽蓋をし、排泄袋の処置は感染防護廃棄場所にて行なえる、排泄袋が排泄袋格納バッケット内に有る事で破損した場合の保護も可能である。【００１１】  本発明のキットを組立備蓄管理しておく事で、非常時においても綺麗なトイレの維持を可能とし、排泄物の集積場所にてキットの消毒を行ない、次の使用者が利用する循環使用を可能とし、排泄設備を衛生的に維持する効果をもたらす。
【図面の簡単な説明】
【００１２】
【図１】  非常用洋式便器排泄キット模式的平面図である。
【図２】  非常用洋式便器排泄キットの模式的斜視図である。
【図３】  図１におけるＡ−Ａ模式的矢視図である。ｈはジャバラ収縮した備蓄形態
【図４】  図１におけるＤ−Ｄ模式的断面図である。
【図５】  図１におけるＢ−Ｂ模式的矢視図である。
【図６】  図１におけるＣ−Ｃ模式的断面図である。
【図７】  図１における３の遮蔽蓋模式的平面図である。
【図８】  図７におけるＥ−Ｅ模式的断面図である。
【図９】  図６におけるＦ部分拡大模式的断面図である。
【図１０】  ガードプレートと排泄袋格納バッケットの模式的接合斜視図である。（ａ）排泄袋格納バッケット上面模式的斜視図  （ｂ）結合バンド模式的斜視図
【図１１】  図３のジャバラ内面に排泄袋を排泄袋格納バッケットに格納する為の排泄袋用セットブラシの模式的外観構造断面図である。（ａ）排泄袋用セットブラシの模式的外観図  （ｂ）排泄袋用セットブラシの排泄袋をセットし、排泄袋用セットブラシを挿入及び着脱する模式的断面図である。
【図１２】  従来の排泄処理方法の模式的斜視図である。（ａ）は模式的排泄袋設置図  （ｂ）は模式的排泄袋密封図である。
【発明を実施するための形態】
【００１３】  以下、本発明の実施の形態について図面を参照しつつ説明する。なお各図面中、同様の構成要素には同一の符号を付して詳細な説明は適時省略する。
【００１４】  図１に表したようにガードプレート１と、排泄袋格納バケット２と、遮蔽蓋３とを備える。ガードプレート１と、遮蔽蓋３の材質をシリコーン樹脂成形とし、形状の柔軟性によって身体形状に連動した変形に対応できる材質とする。図１は非常用洋式便器排泄キットを便座の上に設置した模式的平面図の状態を示す。
【００１５】    図２は非常用洋式便器排泄キットの外観を模式的斜視図として表している。図３は排泄袋格納バケット２が高さ調整可能な事を寸法ｈにて表し、ジャバラ構造である事を示す。
【００１６】    図４の模式的断面図において、実際に使用した時の形態を示す。ガードプレート１が臀部４と便座５の間の接触を遮断している、１ｂの形状は上部に凸部を設ける事で、排泄穴の位置を明確に知らせる効果を持つ。１ｃはキットの持ち運びを行なう為の穴及び、洗浄乾燥を行なう為の穴に用い、タグ穴としも利用可能な事を示す。２ａは利用前に、排泄袋６、密閉紐７、を設置した固定部を表す。固定部は後図の図９と図１０において詳細な説明を行なう。
【００１７】    図５はガードプレート１と、排泄袋格納バケット２とを結合し固定した模式的側面図を表す。１ａにおいてガードプレート１の固定バンドが、排泄袋格納バケット２を固定した事を示している。
【００１８】    図６は排泄を行ない、滅菌凝固剤９にて排泄物８を固化し、遮蔽蓋３を取り付けた模式的断面の状態を示す。この状態にて便座５から取り外して、衛生的な場所に移動可能な状態を示す。また、滅菌凝固剤９は衛生管理された場所での投入が可能であり飛散や一時的臭気は遮蔽蓋３で対応することが可能である。
【００１９】    図７は遮蔽蓋３の模式的平面形状を表し、図８は、遮蔽蓋３の模式的断面形状で、３ａは排泄袋格納バケット２に対して遮蔽蓋３の内側に固定突起を設け排泄袋格納バケット２の落下を防ぎ、３ｂはガードプレート１に対して遮蔽蓋３で密閉固定できる突起形状を示す、材質がシリコーン樹脂である事から着脱は力による変形が可能とする。
【００２０】    図９はガードプレート１と排泄袋格納バケット２の結合部において、排泄袋６と密閉紐７の取り付け部を拡大した模式的断面図を示し、図１０（ａ）に模式的斜視図にて密閉紐７の取り付け及び取り外す溝を示す。図１０（ｂ）はガードプレート１と排泄袋格納バケット２の結合部模式的斜視図を示す。
【００２１】    図１１は排泄袋用セットブラシの模式的外観図（ａ）と排泄袋用セットブラシの排泄袋をセットし、排泄袋用セットブラシを挿入及び着脱する模式的断面図（ｂ）を表している。排泄袋用セットブラシの模式的外観図（ａ）の寸法ｊはガードプレート１の内側開口穴より小さい事を示す。
【００２２】    排泄袋用セットブラシの模式的外観図（ｂ）は、排泄袋格納バケット２の内面に排泄袋６を固定する方法を示す。排泄袋用セットブラシロッド１１ａの排泄袋用セットブラシスライド溝１１ｆを利用して排泄袋用セットブラシスライドコーン１１ｃを下降させて固定する、排泄袋用セットブラシ波型ブラシ１１ｄを収縮させ排泄袋６の中に挿入し、排泄袋格納バッケット２内にて排泄袋用セットブラシスライドコーン１１ｃを上昇させる事で排泄袋６を排泄袋格納バケット２に密着させる、排泄袋と排泄袋格納バケット２の接触空間の空気が押し出され、再度排泄袋用セットブラシ波型ブラシ１１ｄを収縮させて排泄袋用セットブラシロッド１１を取り出す。ガードプレート１の取付バンド１ａで固定する。
【００２３】  図１２は従来の洋式便器での非常時の排泄物処理を模式的斜視図で示す、（ａ）は便座又は便座下に排泄物を受ける排泄袋を固定した状態、（ｂ）は排泄が終わった後に、その場にて排泄袋を外して密閉を行なう方法を採用した状態を示す。
【産業上の利用可能性】
【００２４】  本発明は既存の洋式便器及び非常用簡易トイレの多くに対応可能である事が利点である、既存の洋式便器を製造及び設置を行なっている場合、非常用として本発明の非常用洋式便器排泄キットを非常備蓄として置く事は、設備の衛生管理維持に貢献が可能。
【符号の説明】
【００２５】１      ガードプレート
１ａ    １が２を固定するバンド部
１ｂ    排泄開口穴認識突起
１ｃ    タグ穴及びグリップ穴
１ｄ    ３と１の嵌め合い部
２      排泄袋格納バケット
２ａ    １と２の結合と密封紐と排泄袋固定
２ｂ    密封紐取り付用部分切欠き
３      遮蔽蓋
３ａ    遮蔽蓋の外側固定突起
３ｂ    遮蔽蓋の内側固定突起
４      臀部
５      便座
６      排泄袋
７      密閉紐
８      排泄物
９      滅菌凝固剤
１０    洋式便器
１１    排泄袋用セットブラシ
１１ａ  排泄袋用セットブラシロッド
１１ｂ  排泄袋用セットブラシグリップ
１１ｃ  排泄袋用セットブラシスライドコーン
１１ｄ  排泄袋用セットブラシ波型ブラシ
１１ｅ  排泄袋用セットブラシ抑え板
１１ｆ  排泄袋用セットブラシスライド溝
【図１】
2018202117.tif 000003
【図２】
2018202117.tif 000004
【図３】
2018202117.tif 000005
【図４】
2018202117.tif 000006
【図５】
2018202117.tif 000007
【図６】
2018202117.tif 000008
【図７】
2018202117.tif 000009
【図８】
2018202117.tif 000010
【図９】
2018202117.tif 000011
【図１０】
2018202117.tif 000012
【図１１】
2018202117.tif 000013
【図１２】
2018202117.tif 000014
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
災害時及び非常時における排泄物の処理に対応する為のガードプレートと排泄袋格納バケットと遮蔽蓋と排泄袋用セットブラシからなる非常用洋式便器排泄キットであって、前記の排泄袋格納バケットは、既設の洋式便器の内部深さの違いに対応し、高さ調整が可能なジャバラ方式であり、前記の排泄袋用セットブラシは、排泄袋を排泄袋格納バケットにセットする為の機構を備え、利用前に排泄袋の内部空間を開く状態に排泄袋用セットブラシを用いて修正ができる機能を有する非常用洋式便器排泄キット。
【請求項２】
既設の洋式便器及び非常用組立型洋式便器に対し、便座開口部に請求項１の排泄袋格納バケットを挿入し、請求項１のガードプレートが便座上面に設置でき即座に排泄を行なう事ができる、排泄後に請求項１の遮蔽蓋をし、キット毎取り出しトイレ内を汚す事無く退出し、排泄物は衛生管理の出来ている場所にて排泄袋の処理を行なう非常用洋式便器排泄キットの使用方法。